(57)【要約】【課題】付勢部材と調整部材との間に形成される隙間にガイドシャフトを容易に挿入することが可能であり、組立作業性が向上した光ディスク装置を提供する。【解決手段】シャーシ１１に配設されたディスクモータ１２と、光ディスクの情報記録面に対し、信号の記録／再生を行う光ピックアップ１５と、シャーシ１１に配設され、光ピックアップ１５を光ディスクの半径方向に案内する一対のガイドシャフト１３及び１４と、ガイドシャフト１３及び１４の少なくとも一端部をシャーシ面１１Ａと略直交する方向に移動させる調整螺子１６と、枠体１７に配設され、ガイドシャフト１３の一端部をシャーシ面１１Ａに向けて付勢する板バネ２０とを備え、板バネ２０は、ガイドシャフト１３の一端部を支持する支持面３２と、支持面３２から突出し、支持面３２とシャーシ面１１Ａとの間に隙間を形成するストッパ部３６を備える。【選択図】図６
2009211750.tif 000002
【特許請求の範囲】
【請求項１】
装着した光ディスクの情報記録面に対し、信号の記録、再生の少なくとも一方を行う光ディスク装置であって、
シャーシと、
前記シャーシに配設され、前記光ディスクを載置するディスク載置面を有するターンテーブルが回転可能に設けられたディスクモータと、
前記光ディスクの情報記録面に対し、信号の記録、再生の少なくとも一方を行う光ピックアップと、
前記シャーシに配設され、前記光ピックアップを移動可能に支持して前記光ディスクの半径方向に案内する一対のガイドシャフトと、
前記ガイドシャフトの少なくとも一端部を、前記シャーシ面と略直交する方向に移動させる調整部材と、
前記ガイドシャフトの一端部を挟んで前記調整部材とは反対側に配設され、当該ガイドシャフトの一端部を前記シャーシ面に向けて付勢する付勢部材と、
を備え、
前記付勢部材は、前記ガイドシャフトの一端部を支持する支持面と、当該支持面から突出して前記シャーシ面に当接し、当該支持面とシャーシ面との間に隙間を形成するストッパ部と、を備えてなる光ディスク装置。
【請求項２】
前記付勢部材が板バネであり、当該板バネの自由端に、先端にいくにしたがって前記シャーシ面から離れる方向に向けて傾斜する傾斜面を形成してなる請求項１記載の光ディスク装置。
【請求項３】
前記板バネの自由端と対向して配設され、前記ガイドシャフトの一端部が挿入される開口を有するガイドシャフト挿入部材をさらに備え、
前記傾斜面は、前記自由端に沿った一方側が、他方側よりも前記シャーシ面から離れるようさらに傾斜してなる請求項２記載の光ディスク装置。
【請求項４】
前記傾斜面は、前記ガイドシャフト挿入部材に形成された開口内に延出する延出部をさらに備え、当該延出部は、先端にいくにしたがって前記シャーシ面から離れるよう傾斜してなる請求項２または請求項３記載の光ディスク装置。
【請求項５】
装着した光ディスクの情報記録面に対し、信号の記録、再生の少なくとも一方を行う光ディスク装置であって、
シャーシと、
前記シャーシに配設され、前記光ディスクを載置するディスク載置面を有するターンテーブルが回転可能に設けられたディスクモータと、
前記光ディスクの情報記録面に対し、信号の記録、再生の少なくとも一方を行う光ピックアップと、
前記シャーシに配設され、前記光ピックアップを移動可能に支持して前記光ディスクの半径方向に案内する一対のガイドシャフトと、
前記ガイドシャフトの少なくとも一端部を、前記シャーシ面と略直交する方向に移動させる調整部材と、
前記ガイドシャフトの一端部を挟んで前記調整部材とは反対側に配設され、当該ガイドシャフトの一端部を前記シャーシ面に向けて付勢する板バネと、
前記板バネの自由端と対向して配設され、前記ガイドシャフトの一端部が挿入される開口を有するガイドシャフト挿入部材と、
を備え、
前記板バネの自由端に、当該自由端に沿った一方側が、他方側よりも前記シャーシ面から離れるよう傾斜する傾斜面を形成してなる光ディスク装置。
【請求項６】
前記傾斜面は、前記ガイドシャフト挿入部材に近づくにしたがって前記シャーシ面から離れるようさらに傾斜してなる請求項５記載の光ディスク装置。
【請求項７】
前記傾斜面は、前記ガイドシャフト挿入部材に形成された開口内に延出する延出部をさらに備え、当該延出部は、先端にいくにしたがって前記シャーシ面から離れるよう傾斜してなる請求項５または請求項６記載の光ディスク装置。
【発明の詳細な説明】
【技術分野】
【０００１】
本発明は、装着した光ディスクの情報記録面に対し、信号の記録、再生の少なくとも一方を行う光ディスク装置に関する。
【背景技術】
【０００２】
従来、光ディスク装置では、高精度のチルト調整を行うことが要求されており、光ピックアップから光ディスク面に照射される出射光と、光ディスク面で反射して光ピックアップに入射する入射光が、光ディスク面に対して垂直となるように、光ピックアップの角度を調整するスキュー調整機構を備えている。このスキュー調整機構としては、例えば、光ピックアップを移動可能に支持しているガイドシャフトを、捻りコイルバネや板バネ等の付勢部材と調整ネジ（調整部材）とで挟持し、当該調整ネジのネジ込み量により当該ガイドシャフトの傾きを調整するものがある。（例えば、特許文献１参照）。
【特許文献１】特開２００１−１０１６７１号公報
【発明の開示】
【発明が解決しようとする課題】
【０００３】
しかしながら、前記ガイドシャフトの傾きを調整するための付勢部材として、コイルバネや捻りコイルバネを用いると、当該ガイドシャフトがバネと調整ネジとの間から抜けた場合、当該バネが伸び、当該バネと調整ネジとの間に形成される隙間が狭くなる。このため、前記ガイドシャフトを再挿入することが困難となり、作業性が低下する。一方、板バネは、バネ定数を低く設定することが困難であるため、板バネと調整ネジとの間に形成される隙間にガイドシャフトを挿入する際に、当該隙間を広く取ることが困難であり、作業性が低下する。
【０００４】
本発明は、このような事情に鑑みなされたものであり、付勢部材と調整部材との間に形成される隙間にガイドシャフトを容易に挿入することが可能であり、組立作業性が向上した光ディスク装置を提供することを目的とする。
【０００５】
さらにまた、本発明は、付勢部材と調整部材との間に挿入されたガイドシャフトのがたを抑え、組立て時の寸法安定性が向上した光ディスク装置を提供することを目的とする。
【課題を解決するための手段】
【０００６】
この目的を達成するため本発明は、装着した光ディスクの情報記録面に対し、信号の記録、再生の少なくとも一方を行う光ディスク装置であって、シャーシと、前記シャーシに配設され、前記光ディスクを載置するディスク載置面を有するターンテーブルが回転可能に設けられたディスクモータと、前記光ディスクの情報記録面に対し、信号の記録、再生の少なくとも一方を行う光ピックアップと、前記シャーシに配設され、前記光ピックアップを移動可能に支持して前記光ディスクの半径方向に案内する一対のガイドシャフトと、前記ガイドシャフトの少なくとも一端部を、前記シャーシ面と略直交する方向に移動させる調整部材と、前記ガイドシャフトの一端部を挟んで前記調整部材とは反対側に配設され、当該ガイドシャフトの一端部を前記シャーシ面に向けて付勢する付勢部材と、を備え、前記付勢部材は、前記ガイドシャフトの一端部を支持する支持面と、当該支持面から突出して前記シャーシ面に当接し、当該支持面とシャーシ面との間に隙間を形成するストッパ部と、を備えてなる光ディスク装置を提供するものである。
【０００７】
また、本発明は、装着した光ディスクの情報記録面に対し、信号の記録、再生の少なくとも一方を行う光ディスク装置であって、シャーシと、前記シャーシに配設され、前記光ディスクを載置するディスク載置面を有するターンテーブルが回転可能に設けられたディスクモータと、前記光ディスクの情報記録面に対し、信号の記録、再生の少なくとも一方を行う光ピックアップと、前記シャーシに配設され、前記光ピックアップを移動可能に支持して前記光ディスクの半径方向に案内する一対のガイドシャフトと、前記ガイドシャフトの少なくとも一端部を、前記シャーシ面と略直交する方向に移動させる調整部材と、前記ガイドシャフトの一端部を挟んで前記調整部材とは反対側に配設され、当該ガイドシャフトの一端部を前記シャーシ面に向けて付勢する板バネと、前記板バネの自由端と対向して配設され、前記ガイドシャフトの一端部が挿入される開口を有するガイドシャフト挿入部材と、を備え、前記板バネの自由端に、当該自由端に沿った一方側が、他方側よりも前記シャーシ面から離れるよう傾斜する傾斜面を形成してなる光ディスク装置を提供するものである。
【発明の効果】
【０００８】
本発明にかかる光ディスク装置は、付勢部材の支持面と調整部材との間にガイドシャフトを挿入する際に、ストッパ部によって、前記支持面とシャーシ面との間に、前記ガイドシャフトを挿入しやすい隙間を確保することができる。この結果、組立作業性を向上することができる。
【０００９】
また、本発明にかかる光ディスク装置は、ガイドシャフト挿入部材に形成された開口を貫通し、板バネと調整部材との間に配設されたガイドシャフトの一端部を、前記傾斜面によって、当該板バネの前記一方側に誘導することができる。この結果、前記開口を画定している壁部の一方側（板バネの自由端の前記一方側にある壁部）にガイドシャフトを当接させ、当該ガイドシャフトを安定した状態で維持することができ、組立作業性を向上することができる。
【発明を実施するための最良の形態】
【００１０】
次に、本発明の好適な実施の形態にかかる光ディスク装置について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。また、本実施の形態で参照する各図では、説明を判り易くするため、各部材の厚さやサイズ、拡大・縮小率等は、実際のものとは一致させずに記載してある。
【００１１】
図１は、本実施の形態にかかる光ディスク装置を光ディスクが載置される側から見た斜視図、図２は、図１に示す光ディスク装置を反対側から見た斜視図、図３は、図１に示す光ディスク装置の構成要素である板バネが配設された枠体を光ディスクが載置される側とは反対側から見た平面図、図４は、図３に示すシャーシの斜視図、図５は、図３に示すＶ−Ｖ線に沿った断面図、図６〜図１０は、図１に示す光ディスク装置の構成要素であるガイドシャフト端部付近を示す斜視図、図１１は、図３に示す板バネの正面図、図１２は、図１１に示す板バネの平面図、図１３は、図１１に示す板バネの斜視図、図１４は、図１１に示す板バネの側面図、図１５は、図１１に示す板バネと、ガイドシャフトとの関係を示す概念図、図１６は、ガイドシャフト端部付近を、ガイドシャフト挿入方向から見た図である。
【００１２】
図１〜図１６に示すように、本実施の形態１にかかる光ディスク装置１は、ベースとなるシャーシ１１と、シャーシ１１に配設されたディスクモータ１２と、互いに間隔をおいて且つ平行にシャーシ１１に配設された一対のガイドシャフト１３及び１４と、ガイドシャフト１３及び１４に移動可能に支持されて光ディスクの情報記録面に対し、信号の記録／再生を行う光ピックアップ１５と、シャーシ１１を貫通し、ガイドシャフト１３及び１４の少なくとも一端部をガイドシャフト１３及び１４の軸心方向と略直交する方向に移動させる調整螺子１６（図６〜図１０参照）と、シャーシ１１に対向して配設される枠体１７と、枠体１７のシャーシ１１の表面１１Ａ（以下、「シャーシ面１１Ａ」という）と対向する面であって、ガイドシャフト１３の一端部と対向する位置に配設され、ガイドシャフト１３の一端部をシャーシ面１１Ａに向けて付勢する板バネ２０（図３〜図１６参照）と、板バネ２０の自由端と対向して配設され、ガイドシャフト１３の一端部が挿入される開口４６を有するガイドシャフト挿入部材４５と、を備えて構成されている。なお、符号１８は、ステッパー、符号１９は、フレキシブルプリント基板である。
【００１３】
ディスクモータ１２には、光ディスクを載置するディスク載置面２２と、ディスク載置面２２に載置された光ディスクをクランプするクランプ部２３とを有するターンテーブル２５が回転可能に配設されている。
【００１４】
ガイドシャフト１３及び１４は、ターンテーブル２５に載置された光ディスクの半径方向に光ピックアップ１５を案内するよう、一端がディスクモータ１２側に配設され、他端がディスクモータ１２と離れた位置に配設されている。ガイドシャフト１４のディスクモータ１２側に配設される端部は、シャーシ１１に固定されおり、反対側の端部には、特に図示しないが、調整螺子（図６〜図１０に示す調整螺子１６と同様の構成）の先端が当接しており、調整螺子１６のネジ込み量によりガイドシャフト１４の傾きが調整されるようになっている。一方、ガイドシャフト１３のディスクモータ１２側に配設される端部は、図６〜図１０及び図１６に示すように、後に詳述する板バネ２０と、調整螺子１６とに挟まれた状態でシャーシ１１と枠体１７との間に配設されており、調整螺子１６のネジ込み量によりガイドシャフト１４の傾きが調整されるようになっている。また、ガイドシャフト１３のディスクモータ１２と離れた端部は、特に図示しないが、調整螺子（図６〜図１０に示す調整螺子１６と同様の構成）の先端が当接しており、調整螺子１６のネジ込み量によりガイドシャフト１４の傾きが調整されるようになっている。このように、ガイドシャフト１３及び１４は、各調整螺子１６のネジ込み量を調整することにより、チルト調整が行われる。
【００１５】
板バネ２０は、特に図１１〜図１４に示すように、枠体１７に固定するための固定部３１と、固定部３１と連続形成された板バネ本体３５と、板バネ本体３５の固定部３１が形成されている側とは反対側（自由端側）の片側から突出したストッパ部３６とを備えている。固定部３１は、板バネ２０を枠体１７に固定するための螺子４１及び４２が各々貫通する螺子孔４３及び４４が形成されている。板バネ本体３５は、枠体１７から離れる方向（すなわち、シャーシ面１１Ａに近づく方向）に傾斜すると共に、ガイドシャフト１３のディスクモータ１２側に配設される端部を支持する支持面３２と、支持面３２の自由端側に連続的に形成され、先端にいくにしたがって枠体１７に近づく方向（すなわち、シャーシ面１１Ａから離れる方向）に向けて傾斜する傾斜面３３を備えている。この傾斜面３３は、自由端に沿った一方側３３Ａが、他方側３３Ｂよりも枠体１７に近づく方向（すなわち、シャーシ面１１Ａから離れる方向）に向けてさらに傾斜している。
【００１６】
ストッパ部３６は、その突出端３７をシャーシ面１１Ａに当接させることで、ガイドシャフト１３の一端部を、板バネ２０とシャーシ面１１Ａとの間に挿入させ易くするための空間を確保するよう、板バネ２０の高さ調整を行うものである。すなわち、このストッパ部３６の突出端３７は、ガイドシャフト１３の一端部が板バネ２０の支持面３２に載置されていない際（図６及び図９参照）に、シャーシ面１１Ａに当接し、板バネ２０を係止すると共に、シャーシ面１１Ａと板バネ２０との間に隙間を形成する。この隙間の存在によって、ガイドシャフト１３の一端部を挿入して支持面３２に載置する際に、ガイドシャフト１３の一端部を、板バネ２０とシャーシ面１１Ａとの間に簡単に挿入することができるようになるため、組立作業性を向上することができる。この結果、バネ力の調整を行い易くなり、バネ定数が小さい板バネを使用することもできる。
【００１７】
ここで、図１７に、ストッパ部３６が形成されている板バネ２０（本発明のバネ）と、ストッパ部が形成されていない従来の板バネ（従来のバネ）について、バネの変位量とバネの力との関係を示す。図１７から、本発明のバネは、従来のバネよりも小さなバネ力で同等の変位量が得られることが判る。したがって、本発明のバネは、従来のバネよりも力の調整が容易である。
【００１８】
また、板バネ２０の先端には、先端にいくにしたがってシャーシ面１１Ａから離れる方向に傾斜した傾斜面３３が形成されているため、ガイドシャフト１３の一端部を挿入するための入り口となる板バネ２０の先端と、シャーシ面１１Ａとの間に形成される隙間をさらに大きくとることができる。したがって、ガイドシャフト１３の一端部を、より簡単に挿入することができる。
【００１９】
ガイドシャフト挿入部材４５は、枠体１７と一体的に形成されており、板バネ２０の自由端と対向する位置に立設されている。ガイドシャフト挿入部材４５の略中央部には、ガイドシャフト１３の一端部が挿脱可能に貫通する開口４６が形成されている。開口４６を画定するシャーシ面１１Ａ側の壁部４７は、板バネ２０の支持面３２に載置されたガイドシャフト１３の一端部が、板バネ２０の付勢力によってシャーシ面１１Ａに向けて押圧された際に、ガイドシャフト１３の一端部が当接し、ガイドシャフト１３の一端部がこれ以上移動することを阻止する役割を果たしている。また、開口４６を画定する壁部４７と略直交する壁部４８及び４９は、ガイドシャフト１３の一端部が水平方向に移動することを阻止する役割を果たしている。
【００２０】
ここで、板バネ２０の先端に形成されている傾斜面３３は、前述したように、先端にいくにしたがってシャーシ面１１Ａから離れる方向に向けて傾斜していることに加え、一方側３３Ａが、他方側３３Ｂよりもシャーシ面１１Ａから離れる方向に向けてさらに傾斜しているため、ガイドシャフト１３の一端部は、図１５に矢印Ｘで示すように、一方側３３Ａ方向に誘導されることになる。したがって、ガイドシャフト１３の一端部は、図８及び図１６に示すように、壁部４８に押し付けられた状態となるため、ガイドシャフト１３のがたを抑えることができる。この結果、ガイドシャフト１３を安定した状態で維持することができ、組立作業性を向上することができる。なお、板バネ２０は、図１５に矢印Ｚで示す方向に付勢力が働く。
【００２１】
一方、図７、図８、図１０及び図１６に示すように、ガイドシャフト１３の一端部が板バネ２０の支持面３２に載置されると、ガイドシャフト１３の一端部は、ガイドシャフト挿入部材４５の壁部４７に当接し、壁部４７と板バネ２０とにより挟まれた状態で確実に固定される。この時、板バネ２０は、ガイドシャフト１３の一端部によって枠体１７側に押圧されるため、ストッパ部３６の突出端３７がシャーシ面１１Ａから枠体１７側に向けて離れる。
【００２２】
なお、この状態において、調整螺子１６により、前述したガイドシャフト１３及び１４のチルト調整を行う。
【００２３】
また、板バネ２０には、例えば、図１８及び図１９に示すように、傾斜面３３の先端に、ガイドシャフト挿入部材４５の開口４６の内部まで延出する延出部１３０を形成してもよい。この延出部１３０は、先端にいくにしたがってシャーシ面１１Ａから離れるよう傾斜しており、ガイドシャフト１３の一端部によって、延出部１３０を枠体１７側に向けて押圧することで、板バネ２０とシャーシ面１１Ａとの間にガイドシャフト１３の一端部をさらに挿入し易くすることができる。
【００２４】
なお、本実施の形態では、付勢部材として、傾斜面３３と、ストッパ部３６とが形成された板バネ２０を例にとって説明したが、これに限らず、本発明にかかる付勢部材は、例えば、傾斜面３３を備えずにストッパ部３６が形成された板バネであってもよく、ストッパ部３６を備えずに、傾斜面３３が形成された板バネであってもよい。
【００２５】
また、本実施の形態では、傾斜面３３を、先端にいくにしたがって枠体１７に近づく方向（すなわち、シャーシ面１１Ａから離れる方向）に向けて傾斜し且つ自由端に沿った一方側３３Ａが、他方側３３Ｂよりも枠体１７に近づく方向（すなわち、シャーシ面１１Ａから離れる方向）に向けて傾斜した構成とした場合について説明したが、これに限らず、傾斜面３３は、一方側３３Ａが、他方側３３Ｂよりも枠体１７から離れる方向に向けて傾斜していてもよい。この場合、ガイドシャフト１３の一端部は、ガイドシャフト挿入部材４５の壁部４９に押圧されることになる。また、傾斜面３３は、一方側３３Ａと他方側３３Ｂに沿った方向の傾斜がなく、単に、先端にいくにしたがって枠体１７に近づく方向に向けて傾斜していてもよい。そしてまた、傾斜面３３は、先端にいくにしたがって傾斜せず、単に、一方側３３Ａと他方側３３Ｂに沿った方向に傾斜していてもよい。
【００２６】
そしてまた、本実施の形態では、ガイドシャフト１３の一端部を押圧可能な位置に板バネ２０を配設した場合について説明したが、これに限らず、板バネ２０は、ガイドシャフト１３の他端部を押圧可能な位置、ガイドシャフト１４の一端部または他端部を押圧可能な位置に配設してもよい。また、ガイドシャフト１３の両端部を押圧可能な位置に各々配設する等、配設箇所、配設数は任意により決定することができる。
【図面の簡単な説明】
【００２７】
【図１】本発明の本実施の形態にかかる光ディスク装置を光ディスクが載置される側から見た斜視図である。
【図２】図１に示す光ディスク装置を反対側から見た斜視図である。
【図３】図１に示す光ディスク装置の構成要素である板バネが配設された枠体を光ディスクが載置される側とは反対側から見た平面図である。
【図４】図３に示すシャーシの斜視図である。
【図５】図３に示すＶ−Ｖ線に沿った断面図である。
【図６】図１に示す光ディスク装置の構成要素であるガイドシャフト端部付近を示す斜視図である。
【図７】図１に示す光ディスク装置の構成要素であるガイドシャフト端部付近を示す斜視図である。
【図８】図１に示す光ディスク装置の構成要素であるガイドシャフト端部付近を示す斜視図である。
【図９】図１に示す光ディスク装置の構成要素であるガイドシャフト端部付近を示す斜視図である。
【図１０】図１に示す光ディスク装置の構成要素であるガイドシャフト端部付近を示す斜視図である。
【図１１】図３に示す板バネの正面図である。
【図１２】図１１に示す板バネの平面図である。
【図１３】図１１に示す板バネの斜視図である。
【図１４】図１１に示す板バネの側面図である。
【図１５】図１１に示す板バネと、ガイドシャフトとの関係を示す概念図である。
【図１６】ガイドシャフト端部付近を、ガイドシャフト挿入方向から見た図である。
【図１７】バネの変位量とバネ力との関係を示す図である。
【図１８】本発明の他の本実施の形態にかかる板バネの斜視図である。
【図１９】本発明の他の本実施の形態にかかる板バネの斜視図である。
【符号の説明】
【００２８】
１…光ディスク装置、  １１…シャーシ、  １１Ａ…シャーシ面、  １２…ディスクモータ、  １３、１４…ガイドシャフト、  １５…光ピックアップ、  １６…調整螺子、  １７…枠体、  ２０…板バネ、  ３３…傾斜面、  ３６…ストッパ部、  ４５…ガイドシャフト挿入部材、  ４６…開口
【図１】
2009211750.tif 000003
【図２】
2009211750.tif 000004
【図３】
2009211750.tif 000005
【図４】
2009211750.tif 000006
【図５】
2009211750.tif 000007
【図６】
2009211750.tif 000008
【図７】
2009211750.tif 000009
【図８】
2009211750.tif 000010
【図９】
2009211750.tif 000011
【図１０】
2009211750.tif 000012
【図１１】
2009211750.tif 000013
【図１２】
2009211750.tif 000014
【図１３】
2009211750.tif 000015
【図１４】
2009211750.tif 000016
【図１５】
2009211750.tif 000017
【図１６】
2009211750.tif 000018
【図１７】
2009211750.tif 000019
【図１８】
2009211750.tif 000020
【図１９】
2009211750.tif 000021